(57)【要約】【課題】比較的簡易な作業にて電磁調理器の取り付けを行うことができる電磁式調理装置を提供せんとするものである。【解決手段】上面５に調理部を有するとともに上部に係止鍔部１１を設けた電磁式調理器本体に外面に係合ネジ部６を刻設した係合筒７を垂下形成して電磁式調理器２を構成し、一方、調理台１に取り付け貫通孔４を形成し、該調理台１の取り付け貫通孔４に上記電磁式調理器２の係合筒７を上方より挿入し、下方よりナット８を係合筒７に螺装し調理台１上に電磁式調理器２の調理部５を露出せしめて取り付けてなることを特徴とするものである。【選択図】図２
2009005785.tif 000002
【特許請求の範囲】
【請求項１】
上面に調理部を有するとともに上部に係止鍔部を設けた電磁式調理器本体に外面に係合ネジ部を刻設した係合筒を垂下形成して電磁式調理器を構成し、一方、調理台に取り付け貫通孔を形成し、該調理台の取り付け貫通孔に上記電磁式調理器の係合筒を上方より挿入し、下方よりナットを係合筒に螺装し調理台上に電磁式調理器の調理部を露出せしめて取り付けてなる電磁式調理装置。
【請求項２】
調理台の取り付け貫通孔上部に、係止鍔部が収まる受け部を設けた請求項１記載の電磁式調理装置。
【請求項３】
電磁式調理器上部の係止鍔部の下面を逆円錐状斜面とし、調理台の取り付け貫通孔上部に設けた受け部を逆円錐状受面にして調理台上に電磁式調理器上面を突出することなく露出せしめて取り付けてなる請求項２記載の電磁式調理装置。
【発明の詳細な説明】
【技術分野】
【０００１】
本発明は、電磁式調理装置に関する。さらに詳しくは、電磁式調理器を調理台に組み込んで使用される電磁式調理装置に関するものである。
【背景技術】
【０００２】
従来から下記特許文献１に示されるように、システムキッチン等における調理台の部位に電磁式調理機器を組み込んだものが知られている。このものでは、調理台に相当するキャビネットの上面のカウンタートップに、機器組込用の凹部を比較的大きく形成し、一方、電磁調理器たる加熱器本体を筐体に搭載することで電磁式調理機器を構成し、この筐体ごと一体に機器組込用の凹部に収容せしめるとともに筐体に設けたフランジ部をカウンタートップに支持せしめて、当該筐体を凹部の内壁面にネジ等で固定して組み込んでいる。
【０００３】
しかし、このように筐体に電磁調理器たる加熱器本体を搭載して構成した電磁式調理機器はサイズも比較的大きくなり、しかも重量も重くなるため、その組み込み作業は容易とは言えなかった。
【特許文献１】特開２００５−２１４５７７号公報
【発明の開示】
【発明が解決しようとする課題】
【０００４】
本発明は、上記従来例等における事情に鑑みてなされたもので、比較的簡易な作業にて電磁調理器の取り付けを行うことができる電磁式調理装置を提供せんとするものである。
【課題を解決するための手段】
【０００５】
上記課題を解決するために、本発明にかかる電磁式調理装置は、上面に調理部を有するとともに上部に係止鍔部を設けた電磁式調理器本体に外面に係合ネジ部を刻設した係合筒を垂下形成して電磁式調理器を構成し、一方、調理台に取り付け貫通孔を形成し、該調理台の取り付け貫通孔に上記電磁式調理器の係合筒を上方より挿入し、下方よりナットを係合筒に螺装し調理台上に電磁式調理器の調理部を露出せしめて取り付けてなることを特徴とするものである。
【０００６】
本発明では、調理台の取り付け貫通孔上部に、係止鍔部が収まる受け部を設けることができる。
【０００７】
また、この場合、電磁式調理器上部の係止鍔部の下面を逆円錐状斜面とし、調理台の取り付け貫通孔上部に設けた受け部を逆円錐状受面にして調理台上に電磁式調理器上面を突出することなく露出せしめて取り付けるようにすると好ましい。
【発明の効果】
【０００８】
本発明の電磁式調理装置は、調理台の取り付け貫通孔に上方から係合筒を挿入して係止鍔部を調理台の上面側に支持せしめ、さらに下方よりナットを係合筒に螺装し調理台上に電磁式調理器の調理部を露出せしめるという、比較的簡易な作業にて取り付けを行うことができる。
【０００９】
また、本発明では、調理台の取り付け貫通孔上部に、係止鍔部が収まる受け部を設けておくと、係止鍔部が調理台上面側に出っ張らず、フラットな外観を得ることができる。清掃も容易となる。
【００１０】
さらにこのとき、電磁式調理器上部の係止鍔部の下面を逆円錐状斜面とし、調理台の取り付け貫通孔上部に設けた受け部を逆円錐状受面にしておくと、取り付け貫通孔に上方から係合筒を挿入しやすくなる。
【発明を実施するための最良の形態】
【００１１】
以下、本発明の実施形態について図面を参照して、詳細に説明する。図１は本発明の実施形態に係る電磁式調理装置Ａを備えたキッチンキャビネットを示すものである。電磁式調理装置Ａは調理台１に電磁式調理器２を設置してなるもので、３は操作部である。調理台１は上面を耐熱強化ガラス、セラミック、アルミニウム等の耐熱性に優れたパネルで形成するのが望ましく、キッチンカウンターのデザインを考慮して所望の化粧面とすることが可能である。
【００１２】
図２に示すごとく、この調理台１には取り付け貫通孔４を形成し、上面５が調理部である電磁式調理器２を、その電磁式調理器本体に垂下形成された外面に係合ネジ部６を有する係合筒７を調理台１の取り付け貫通孔４に上方より挿入し、下方よりナット８を螺装することによって、図３に示すように、調理台１に取り付けて電磁式調理装置Ａを構成する。
【００１３】
電磁式調理器２の調理部たる上面５は耐熱層９で被覆されている。耐熱層９は耐熱ガラスやセラミック等の耐熱性、透磁性に優れた材料で形成されており、エネルギー効率を損なうことが少なく、上面５の清掃も容易に行えるものである。また、電磁式調理器２では、この耐熱層９を含む上部全周に係止鍔部１１を形成し、係止鍔部１１下面を逆円錐状斜面１２としている。
【００１４】
一方、調理台１の取り付け貫通孔４は上部に係止鍔部１１が収まる受け部１０を形成してある。この受け部１０は、係止鍔部１１下面の逆円錐状斜面１２に対応するように逆円錐状受面に形成されている。
【００１５】
電磁式調理器２の調理台１への取り付けは、取り付け貫通孔４に係合筒７を上方より嵌合し、係合ネジ部６にナット８を螺装しネジ結合することにより行われるために、着脱が容易に行えるものである。
【００１６】
本発明では、上記実施形態に限らず、本発明の概念の範囲で適宜変形することも可能であり、例えば図４に示すような変形例に係る電磁式調理装置Ｂでもよい。この電磁式調理装置Ｂでは、電磁式調理器２の上部に形成される係止鍔部１１が、横方向に薄板状に張り出した形状となっており、係合筒７は真っ直ぐな筒状に形成されている。このものでは、係合筒７を調理台１の取り付け貫通孔４に上方より挿入し下方よりナット８を螺装したとき、係止鍔部１１とナット８により調理台１の天板を挟持して、電磁式調理器２が固定される。
【００１７】
上述した実施形態の電磁式調理装置A、Ｂでは、必要に応じてナット８を緩めることで、電磁式調理器２の取り外しができる。従って、電磁式調理器２の取替えや修理が容易に行える。
【図面の簡単な説明】
【００１８】
【図１】本発明の一実施形態における電磁式調理装置Ａを備えたキッチンキャビネットを示す斜視図。
【図２】図１に示す実施形態の電磁式調理装置の分解斜視図。
【図３】図１に示す実施形態の電磁式調理装置の断面図。
【図４】電磁式調理装置の異なった実施形態の断面図。
【符号の説明】
【００１９】
１                  調理台
２                  電磁式調理器
３                  操作部
４                  取り付け貫通孔
５                  上面
６                  係合ネジ部
７                  係合筒
８                  ナット
９                  耐熱層
１０                逆円錐状受面
１１                係止鍔部
１２                逆円錐状斜面
【図１】
2009005785.tif 000003
【図２】
2009005785.tif 000004
【図３】
2009005785.tif 000005
【図４】
2009005785.tif 000006